(57)【要約】【課題】  仮送電ケーブルが歩道の通行に邪魔にならないようにする仮送電装置を提供する。【解決手段】  路上機器２から需要家宅３２に一時的に送電する仮送電装置１であって、路上機器２と需要家宅３２とを電気的に接続するための仮送電ケーブル２０と、該仮送電ケーブル２０を支持し所定の高さまで持ち上げるためのケーブル支持柱１０と、該ケーブル支持柱１０を路上機器２に保持する保持手段４、５と、を備え、前記ケーブル支持柱１０により所定の高さに持ち上げた前記仮送電ケーブル２０を、空中を渡して前記需要家宅３２に接続する。【選択図】  図４
2020036408.tif 000002
【特許請求の範囲】
【請求項１】
路上機器と需要家宅とを電気的に接続するための仮送電ケーブルと、
該仮送電ケーブルを支持し所定の高さまで持ち上げるためのケーブル支持柱と、
該ケーブル支持柱を路上機器に保持する保持手段と、を備え、
前記ケーブル支持柱により所定の高さに持ち上げた前記仮送電ケーブルを、空中を渡して前記需要家宅に接続するようにした、
こと特徴とする仮送電装置。
【請求項２】
前記保持手段は、前記路上機器の開き扉体と前記路上機器の外箱体とで構成され、
前記開き扉体は縦軸を中心に回動自在にされており、やや開いた状態の前記開き扉体と前記外箱体との間で前記ケーブル支持柱を挟持した、
こと特徴とする請求項１に記載の仮送電装置。
【請求項３】
開いた状態の前記開き扉体と前記外箱体との間に形成される上方から見て扁平な三角形状の上下開口を閉塞するパッキンを備えた、
こと特徴とする請求項２に記載の仮送電装置。
【請求項４】
前記保持手段は、前記路上機器の前記開き扉体又は前記外箱体に着脱自在な取付金具であって、該取付金具を前記路上機器に取付ける際に、前記ケーブル支持柱を挟持した、
こと特徴とする請求項１に記載の仮送電装置。
【発明の詳細な説明】
【技術分野】
【０００１】
この発明は、路上機器から需要家宅に一時的に電力を供給するための、仮送電装置に関する。
【背景技術】
【０００２】
近年、電力や通信用の配電線路の地中化に伴い、従来、電柱に設置されていた変圧器や開閉器、分岐装置等の電気機器を外箱体（収容箱）に収容した路上機器が普及しており、このような路上機器は、歩道等に設置されている。
【０００３】
このような配電線路の地中化で、各需要家宅には、地中管路において幹線ケーブルから分岐した引込ケーブルにより送電が行われる。
【０００４】
上述の路上機器は、通行の邪魔にならないように、また、配電線路が車道の地中に設けられている関係上、歩道の中でも車道側に寄った位置に設置されるのが一般的である（特許文献１）。
【先行技術文献】
【特許文献】
【０００５】
【特許文献１】特開２０１１−１０９８６８号公報
【発明の概要】
【発明が解決しようとする課題】
【０００６】
ところで、このような幹線ケーブル、引込ケーブルなどの経路において、断線、漏電などの不具合が生じた場合、引込ケーブルによる需要家宅への送電が不能になってしまう。このような場合、仮送電用のケーブル（「仮送電ケーブル」という）を別途用意し、前記路上機器と需要家宅とを仮送電ケーブルで電気的に接続することで一時的な仮送電が行われる。
【０００７】
このとき、上記仮送電ケーブルは歩道を横断するように這わされ、通行人の邪魔になる。そのため、歩道に這わされた仮送電ケーブルができるだけを邪魔にならないように仮送電ケーブルを覆うようにスロープを設置するのが一般的であった。
【０００８】
ところが、歩道にスロープがあったとしても、自転車の通行人や車いすの通行人にはスロープもきわめて邪魔であるとともに、常時、断線などの事故などの危機に晒されていた。
【０００９】
そこでこの発明は、歩行の邪魔にならず、断線の危険もなくさらに設置の容易な仮送電装置を提供することを目的とする。
【課題を解決するための手段】
【００１０】
上記課題を解決するために、請求項１の発明は、路上機器と需要家宅とを電気的に接続するための仮送電ケーブルと、該仮送電ケーブルを支持し所定の高さまで持ち上げるためのケーブル支持柱と、該ケーブル支持柱を路上機器に保持する保持手段と、を備え、前記ケーブル支持柱により所定の高さに持ち上げた前記仮送電ケーブルを、空中を渡して前記需要家宅に接続するようにした、こと特徴とする。
【００１１】
この発明によれば、仮送電ケーブルを歩道の上方に架設して路上機器と需要家宅とを電気的に接続する。
【００１２】
請求項２の発明は、請求項１に記載の仮送電装置において、前記保持手段は、前記路上機器の開き扉体と前記路上機器の外箱体とで構成され、前記開き扉体は縦軸を中心に回動自在にされており、やや開いた状態の前記開き扉体と前記外箱体との間で前記ケーブル支持柱を挟持した、こと特徴とする。
【００１３】
請求項３の発明は、請求項２に記載の仮送電装置において、開いた状態の前記開き扉体と前記外箱体との間に形成される上方から見て扁平な三角形状の上下開口を閉塞するパッキンを備えた、こと特徴とする。
【００１４】
請求項４の発明は、請求項１に記載の仮送電装置において、前記保持手段は、前記路上機器の前記開き扉体又は前記外箱体に着脱自在な取付金具であって、該取付金具を前記路上機器に取付ける際に、前記ケーブル支持柱を挟持した、こと特徴とする。
【発明の効果】
【００１５】
請求項１の発明によれば、仮送電ケーブルをケーブル支持柱により所定の高さまで持ち上げ空中を渡して前記需要家宅に接続するようにしたので、通行人の通行の邪魔になることはない。
【００１６】
請求項２の発明によれば、やや開いた状態の前記開き扉体と前記外箱体との間で前記ケーブル支持柱を挟持することで、専用の設備を必要とせず簡単にケーブル支持柱を設置することが可能となる。
【００１７】
請求項３の発明によれば、前記開き扉体を開いた状態にすることで生じてしまう三角形状の上下開口をパッキンで閉塞することで、前記上下開口からの雨水や小動物の侵入を防止することができる。
【００１８】
請求項４の発明によれば、前記保持手段を、前記路上機器に着脱自在な取付金具でケーブル支持柱を挟持したので、開き扉体を開くことなく、路上機器内への雨水の侵入、小動物の侵入を防止することができる。
【図面の簡単な説明】
【００１９】
【図１】図２乃至図４と共に、この発明の実施の形態１に係る仮送電装置を示すものであり、本図は平面図であり、（ａ）はケーブル支持柱が設置されていない路上機器を示し、（ｂ）はケーブル支持柱が設置された状態の路上機器を示す。
【図２】ケーブル支持柱が設置された状態の正面図である。
【図３】ケーブル支持柱が設置された状態の斜視図である。
【図４】本発明により仮送電ケーブルを架設した状態を示す使用状態説明図である。
【図５】図６及び図７と共に、この発明の実施の形態２に係る仮送電装置を示すものであり、本図は平面図である。
【図６】正面図である。
【図７】斜視図である。
【図８】この発明の実施の形態３に係る仮送電装置を示す斜視図である。
【発明を実施するための形態】
【００２０】
以下、この発明を図示の実施の形態に基づいて説明する。
【００２１】
（実施の形態１）
図１〜図４は、この発明の実施の形態１を示し、図１（ａ）はケーブル支持柱１０を保持していない状態で開き扉体４、５が閉じた状態の平面図、図１（ｂ）は開き扉体４、５をやや開いた状態にして開き扉体４と５との間でケーブル支持柱１０を保持した状態の平面図である。
【００２２】
図２は、ケーブル支持柱１０を保持した状態の正面図で、図３はケーブル支持柱１０を保持した状態の斜視図で、図４は歩道３０に設置された路上機器２で、ケーブル支持柱１０により仮送電ケーブル２０を架設し、建物（需要家宅）３２に接続した状態を示す説明図である。
【００２３】
この実施の形態１に係る仮送電装置１は、歩道３０の端に設置された路上機器２と、需要家宅として建物３２に一時的に送電するための仮送電ケーブル２０と、該仮送電ケーブル２０を支持し所定の高さまで持ち上げるためのケーブル支持柱１０と、からなる。
【００２４】
路上機器２は、地中化された配電線路において必要となるもので、通常、歩道３０における車道３１寄りの適宜な位置に設置され、図示は省略するが変圧器、高圧引込開閉器等の電気機器が外箱体３内に収容され、外箱体３の前面開口は縦軸を中心として回動する観音開き状の２つの開き扉体４、５により覆われている（図１〜図３参照）。
【００２５】
ケーブル支持柱１０は、その底部に平板状の架台１１が一体に設けられ、地面に設置したときの安定性が担保されるようになっている。
【００２６】
ケーブル支持柱１０の設置は、先ず、上記路上機器２の２つの開き扉体４、５をやや開いた状態で、これら開き扉体４、５の回動先端縁間に挟まれるようにケーブル支持柱１０を位置させる。このとき、ケーブル支持柱１０の架台１１は路上機器２の外箱体３の下面と地面との間の隙間に挿入される。この状態で、やや開いた両開き扉体４、５を閉める方向に回動させると、ケーブル支持柱１０が挟持されて保持され、ケーブル支持柱１０の設置が完了する。
【００２７】
このように、ケーブル支持柱１０を保持するのは、２つの開いた開き扉体３、４との挟持によるものなので、保持手段はとしては２つの開き扉体３、４になる。
【００２８】
尚、図示は省略したが、両開き扉体４、５をワイヤなどで接続して、ケーブル支持柱１０の挟持した状態を保持することで、不用意に両開き扉体４、５が開かないようにすることが好ましく、さらには、その状態で施錠しても良い。
【００２９】
なお、開き扉体４、５は左右の幅寸法が異なり、左側の開き扉体５の方が幅広に形成されているが、共に同じ幅寸法であっても構わない。
【００３０】
次に、路上機器２の電気機器に仮送電ケーブル２０の一端を接続し、その他端をケーブル支持柱１０に支持させ、ケーブル支持柱１０の上端から建物３２に向けて伸ばし、建物３２の所定の機器に接続する。
【００３１】
具体的には、仮送電ケーブル２０を、外箱体３と扉体４、５との上方から見て扁平な三角形状の間隙から導出させ、ケーブル支持柱１０に沿わせて上方へ持って行き、ケーブル支持柱１０の上端で建物３２に向けて伸ばし、建物３２の所定の機器に接続することで、架設する。
【００３２】
仮送電ケーブル２０は、ケーブル支持柱１０の適宜な位置に設けられたバンド２１、２１、…によりケーブル支持柱１０に支持され、ケーブル支持柱１０の側面を沿うようになっている。
【００３３】
これにより、仮送電ケーブル２０は、歩道３０から上方に離間した高さで歩道３０を横断させることができ、通行人の邪魔になるようなことはない。
【００３４】
また、２つの開き扉体４、５がやや開いた状態であるため、上方から見て扁平な三角形状の空間が生じており、その上部開口及び下部開口をそれぞれ覆う上側パッキン１５と下側パッキン１６が設けられている（図３参照）。
【００３５】
これにより上側パッキン１５では路上機器２内への雨水の侵入を防止し、また下側パッキン１６では小動物の侵入を防止することができる。さらに、下側パッキン１６にあっては、外箱体３の下面とケーブル支持柱１０の架台１１との間に位置されるため、比較的厚いパッキンにすることにより、架台１１を地面側に押し付けることができ、ケーブル支持柱１０の安定した保持に寄与する。
【００３６】
また、ケーブル支持柱１０の長さは、少なくとも仮送電ケーブル２０を架設した状態で、歩道を通行する者に支障をきたさない程度の高さであれば良いため、例えば２ｍ以上であれば良いが、送電ケーブルであるため安全性を考慮する必要がある。なお、ケーブル支持柱１０の長さを、仮送電ケーブル２０を接続する建物３２側の機器がどのくらいの高さにあるかにより決定するようにしても良い。
【００３７】
さらに、このようなケーブル支持柱１０を長さ方向に複数段に分割できるようにすれば、画一的な長さでなくなるため、長さを選択することができ、現場での迅速な対応を可能にする。
【００３８】
尚、路上機器２の開き扉体が２つの観音開き状の開き扉体４、５であるものについて説明したが、片開き状の開き扉であっても良い。
【００３９】
また、扁平な三角形状の上下開口を閉塞するものとしてパッキンを用いたが、蓋体のようなものであっても良い。
【００４０】
（実施の形態２）
図５〜図７は、実施の形態２を示すもので、この実施の形態２は２つの開き扉体のうち一方の開き扉体と外箱体３とでケーブル支持柱を挟持する点、開いた開き扉体が不用意に開かないようにワイヤを設けた点、及び仮送電ケーブルをケーブル支持柱の内部に挿通させた点で相違し、他の多くの点は上記実施の形態１と同じなので、各部の詳細な説明は実施の形態１における符号と同一符号を付すことにより省略する。
【００４１】
この実施の形態２に係る仮送電装置１Ａも、上記実施の形態１と同様であるが、歩道３０の端に設置された路上機器２Ａと、需要家宅として建物３２に一時的に送電するための仮送電ケーブル２０と、該仮送電ケーブル２０を支持し所定の高さまで持ち上げるためのケーブル支持柱１０Ａと、で構成される。
【００４２】
図５〜図７は、ケーブル支持柱１０を保持した状態を示し、図５は平面図、図６は正面図、図７は斜視図である。
【００４３】
路上機器２Ａの２つの開き扉体６、７の左右幅はほぼ同じに形成され、左方の開き扉体７は閉じられ、通常の施錠が掛かっている状態となっており、右方の開き扉体６はやや開いた状態にされている。
【００４４】
ケーブル支持柱１０Ａの設置は、先ず、右方の開いた開き扉体６を、この開き扉体６と外箱体３との間に挟まれるようにケーブル支持柱１０Ａを位置させ、やや開いた開き扉体６を閉める方向に回動させる。これにより、ケーブル支持柱１０Ａは挟持されて保持されることで、その設置が完了する。このとき、ケーブル支持柱１０Ａをできるだけ回動端側に位置させることで、ケーブル支持柱１０Ａは閉じられた開き扉体７の先端縁にも押し付けられるになり、より強固な保持が可能となる。
【００４５】
このように、ケーブル支持柱１０Ａを保持するのは、主に開いた開き扉体６と外箱体３との挟持によるものなので、保持手段はとしては開き扉体６と外箱体３とになる。
【００４６】
このように、２つの開き扉体６、７のうち一方のみを開いた状態としたので開放される部分を少なくすることができ、侵入物の軽減に寄与する。もちろん、上部開口及び下部開口に上記実施の形態１にようにパッキンを配設しても良い。
【００４７】
また、保持されたケーブル支持柱１０Ａの外箱体３内に臨む位置にケーブル挿通孔（図示は省略する）が、また、その上端部に側方に向けたケーブル挿通孔（図示は省略する）がそれぞれ形成されている。
【００４８】
仮送電ケーブル２０は図示しない電気機器に接続された後、上記ケーブル支持柱１０Ａのケーブル挿通孔からケーブル支持柱１０Ａの中空部分に挿入され、中空部分を上方に向けて通され、その上端部のケーブル挿通孔から側方に導出される。
【００４９】
ケーブル支持柱１０Ａの上端部から導出された仮送電ケーブル２０を建物３２に向けて伸ばし、建物３２の所定の機器に接続することで仮送電ケーブル２０の架設が完了する。
【００５０】
このように仮送電ケーブル２０をケーブル支持柱１０Ａの中空部分を通すことで、ケーブルが外側に現れず、見た目にもすっきりとし、かつ、いたずら防止にも寄与する。
【００５１】
開き扉体６の正面上部回動端側にはピン８が設けられ、また、外箱体３の上面前端部にも同様なピン８が設けられている。
【００５２】
これらピン８、８には、ケーブル支持柱１０Ａを挟持した状態でワイヤ９が掛けられ、これによりやや開いた状態の開き扉体６が不用意に開いてしまうのが防止される。
【００５３】
（実施の形態３）
図８は、実施の形態３を示すもので、ケーブル支持柱を、開き扉体に別部材の保持手段としての取付金具を介して保持する点で、上述した２つの実施の形態１、２とは相違する。
【００５４】
なお、この実施の形態３に係る仮送電装置１Ｂは、上記実施の形態１、２と同様であるが、歩道３０の端に設置された路上機器２Ｂと、需要家宅として建物３２に一時的に送電するための仮送電ケーブル２０と、該仮送電ケーブル２０を支持し所定の高さまで持ち上げるためのケーブル支持柱１０Ｂと、で構成される。
【００５５】
具体的には、路上機器２Ｂの一方の開き扉体４０には、その回動端側の上部と下部に左右に２つずつ並んで小孔４１、４１、…が形成され、また、中央部には仮送電ケーブル２０が路上機器２Ｂ内部から外部に導出するための小窓４２が形成されている。該小窓４２にはこれを閉塞する蓋体４３が着脱自在に設けられる。
【００５６】
ケーブル支持柱１０Ｂの設置は、開き扉体４０の上下に２つずつ設けられた小孔４１、４１、…の間に前方からケーブル支持柱１０Ｂを位置させ、左右の小孔４１、４１にＵボルト４５を挿入して開き扉体４０の内側からナットを螺合する。これを上下で行い、ケーブル支持柱１０Ｂは上下に離間した２点で保持してケーブル支持柱１０Ｂの設置が完了する。
【００５７】
このように、２つのＵボルト４５、４５が路上機器２Ｂに着脱自在な取付金具として機能し、Ｕボルト４５、４５を路上機器２Ｂに取付ける際にケーブル支持柱１０Ｂが挟持されて保持されることとなる。
【００５８】
仮送電ケーブル２０は上記小窓４２を通して路上機器２Ｂ内から導出し、ケーブル支持柱１０Ｂの側面を沿うようする。このとき、ケーブル支持柱１０Ｂの適宜な位置に設けられたバンド２１、２１、…により仮送電ケーブル２０はケーブル支持柱１０Ｂに支持され、ケーブル支持柱１０Ｂの側面を沿うようになっている。
【００５９】
このような路上機器２Ｂにあっては、開き扉体４０を開くことなくケーブル支持柱１０Ｂを設置でき、上述のような開き扉体と外箱体３との間の上部開口及ぶ下部開口がないため、雨水の侵入、小動物の侵入を防止することができる。
【００６０】
また、このような開き扉体４０は、路上機器２Ｂにもともとあった開き扉体４０を改造して作成しても良いし、又は、別個に一時的な仮送電を行うときに既存の開き扉体と交換する仮送電用開き扉体として作成しても良い。
【００６１】
尚、保持手段として取付金具をＵボルトとして説明したが、これに限らず、強力な磁石や、路上機器の周囲を巻回するような長いバンド状のものであっても良い。
【００６２】
以上、この発明の実施の形態について説明したが、具体的な構成は、上記の実施の形態に限られるものではなく、この発明の要旨を逸脱しない範囲の設計の変更等があっても、この発明に含まれる。
【００６３】
例えば、上記の実施の形態では、地中化された配電線路における路上機器から需要家宅への仮送電する場合について説明したが、電柱に設置される変圧器や開閉器、分岐装置等を路上に路上機器を設置する場合もあり、このような場合においても本発明を適用することができる。
【００６４】
また、上記各実施の形態においてはケーブル支持柱を保持する保持手段を路上機器の前面側にある開き扉体を利用したものについて説明したが、路上機器の側面版や背面板を利用して、保持手段を設けるようにしても良い。
【符号の説明】
【００６５】
１          仮送電装置
２          路上機器
３          外箱体
４、５      扉体（保持手段）
１０        ケーブル支持柱
２０        仮送電ケーブル
３０        歩道（通路）
３２        建物（需要家宅）
１Ａ        仮送電装置
２Ａ        路上機器
６          扉体
７          扉体
１０Ａ      ケーブル支持柱
３、４      保持手段
１Ｂ        仮送電装置
２Ｂ        路上機器
１０Ｂ      ケーブル支持柱
４０        扉体
４５        Ｕボルト（取付金具）
【図１】
2020036408.tif 000003
【図２】
2020036408.tif 000004
【図３】
2020036408.tif 000005
【図４】
2020036408.tif 000006
【図５】
2020036408.tif 000007
【図６】
2020036408.tif 000008
【図７】
2020036408.tif 000009
【図８】
2020036408.tif 000010